(57)【要約】 【課題】  タップ数を増やさずに、適応フィルタの分解能を高め伝送路推定の精度を向上する。【解決手段】  データ信号補正回路は、パイロット信号に基づき受信データ信号の伝送路特性推定値を算出する伝送路特性算出部と、前記伝送路特性推定値に基づいて、前記受信データ信号のマルチパスの遅延量を算出するパス検出部と、前記遅延量と前記伝送路特性推定値とを入力とし、前記遅延量に応じて、前記伝送路特性推定値のキャリア方向の入力間隔を調整し、前記調整後の入力間隔で入力された前記伝送路特性推定値に対して適応等化を行う適応フィルタと、を有する。【選択図】図５
2014179758.tif 000002
【特許請求の範囲】
【請求項１】
パイロット信号に基づき受信データ信号の伝送路特性推定値を算出する伝送路特性算出部と、
前記伝送路特性推定値に基づいて、前記受信データ信号のマルチパスの遅延量を算出するパス検出部と、
前記遅延量と前記伝送路特性推定値とを入力とし、前記遅延量に応じて、前記伝送路特性推定値のキャリア方向の入力間隔を調整し、前記調整後の入力間隔で入力された前記伝送路特性推定値に対して適応等化を行う適応フィルタと、
を有することを特徴とするデータ信号補正回路。
【請求項２】
前記適応フィルタの後段に配置されるローパスフィルタ、
をさらに有し、
前記ローパスフィルタは、前記適応フィルタの出力と、前記遅延量とを入力とし、前記遅延量に応じて遮断帯域を変更する、
ことを特徴とする請求項１に記載のデータ信号補正回路。
【請求項３】
前記適応フィルタは、前記遅延量と前記入力間隔の関係を対応付けたテーブルを有することを特徴とする請求項１または２に記載のデータ信号補正回路。
【請求項４】
前記ローパスフィルタは、前記遅延量と前記遮断帯域の関係を対応付けたテーブルを有することを特徴とする請求項１〜３のいずれか１項に記載のデータ信号補正回路。
【請求項５】
信号受信部と、
前記信号受信部で受信されたデータ信号に対して伝送路補正を施すデータ信号補正回路と、
前記伝送路補正後の前記データ信号を復調及び復号して、映像信号及び音声信号の少なくとも一方を出力する復調・復号処理部と、
を有し、
前記データ信号補正回路は、
パイロット信号に基づき前記受信されたデータ信号の伝送路特性推定値を算出する伝送路特性算出部と、
前記伝送路特性推定値に基づいて、前記受信されたデータ信号のマルチパスの遅延量を算出するパス検出部と、
前記遅延量と前記伝送路特性推定値とを入力とし、前記遅延量に応じて、前記伝送路特性推定値のキャリア方向の入力間隔を調整し、前記調整後の入力間隔で入力された前記伝送路特性推定値に対して適応等化を行う適応フィルタと、
を有することを特徴とする受信機。
【請求項６】
前記データ信号補正回路は、
前記適応フィルタの後段に配置されるローパスフィルタ、
をさらに有し、
前記ローパスフィルタは、前記適応フィルタの出力と、前記遅延量とを入力とし、前記遅延量に応じて遮断帯域を変更する
ことを特徴とする請求項５記載の受信機。
【請求項７】
パイロット信号に基づき受信データ信号の伝送路特性推定値を算出し、
前記伝送路特性推定値に基づいて前記受信データ信号のマルチパスの遅延量を算出し、
前記遅延量に応じて、前記伝送路特性推定値のキャリア方向の入力間隔を調整し、前記調整された入力間隔で入力された前記伝送路特性推定値に対して適応等化を行う、
ことを特徴とするデータ信号補正方法。
【請求項８】
前記遅延量に応じた遮断帯域を選択し、
前記選択した遮断帯域で、前記適応等化を受けた前記伝送路特性推定値をフィルタリングする、
ことを特徴とする請求項７に記載のデータ信号補正方法。
【請求項９】
前記遅延量と前記入力間隔の関係をあらかじめ対応付けて格納することを特徴とする請求項７または８に記載のデータ信号補正方法。
【請求項１０】
前記遅延量と前記遮断帯域の関係をあらかじめ対応付けて格納することを特徴とする請求項７〜９のいずれか１項に記載のデータ信号補正方法。
【発明の詳細な説明】
【技術分野】
【０００１】
本発明は、データ信号補正回路とこれを用いた受信機、およびデータ信号補正方法に関する。
【背景技術】
【０００２】
ＯＦＤＭ（Orthogonal Frequency Division Multiplexing）信号の受信装置では、データ信号を正しく復号するために、パイロット信号を用いて伝送路を推定する。パイロット信号は周波数方向（キャリア方向）と時間（シンボル）方向に一定間隔で配置される。パイロット信号に基づいて、補間によりデータ信号の伝送路特性が推定される。受信されたデータシンボルを推定された伝送路特性で除算することで、データ信号を補正することができる。受信性能を向上させるためには、伝送路特性の推定精度を上げることが重要である。
【０００３】
データ信号の伝送路特性の推定方法として、一般に適応フィルタが用いられる。適応フィルタは、環境に応じてフィルタ係数を最適化できる点で、固定フィルタよりも優れている。
【０００４】
図１は一般的な適応フィルタ１０８を使用したデータ信号補正回路１００の概略図である。ＦＦＴ部３で高速フーリエ変換を受けた受信信号は、信号分別部１１でパイロット信号とデータ信号に分離される。シンボル補間部１２で、パイロット信号をシンボル方向に補間する。キャリア補間部１３で、シンボル補間された信号をマルチパスの遅延量に応じた帯域のフィルタでキャリア方向に補間し、データ部分の伝送路特性推定値を算出する。
【０００５】
第１データ信号補正部１４は、受信データ信号を伝送路特性推定値で除算して送信データ信号を算出する。硬判定部１５は、算出された送信データ信号をコンスタレーションに対して硬判定処理する。伝送路特性算出部１６は、受信データを硬判定処理後の送信データ信号で除算して、伝送路特性推定値を算出する。
【０００６】
パス検出部１０７は、硬判定後の伝送路特性推定値を逆フーリエ変換することで遅延プロファイルを算出し、ＦＴＴ開始位置を決定する。また、遅延プロファイルからマルチパス遅延量を算出してキャリア補間部１３に供給する。
【０００７】
適応フィルタ部１０８は、硬判定後の伝送路特性推定値に対して適用等化を行なう。フィルタ係数はＬＭＳ（Least Mean Square）法により更新される。第２データ信号補正部１０９は、受信データ信号を、適応等化後の伝送路特性推定値で除算し、送信データを出力する。
【０００８】
図２は、一般的な適応フィルタ部１０８の構成図である。Ｈ（ｎ）はキャリア番号ｎの伝送路特性推定値である。タップ数が２αの適応フィルタ部１８の各タップに、キャリア番号ｎ−α、…、ｎ−１、ｎ＋１、…、ｎ＋αの各伝送路特性推定値が入力され、入力された伝送路特性推定値に、対応するタップのタップ係数ｗ（ｎ，ｋ）が乗算される。ｗ（ｎ，ｋ）は、キャリア番号ｎに対するタップ番号ｋのタップ係数を表わす。すべてのタップの乗算結果が加算されて出力される。加算値と所望信号ｄ(n)＝Ｈ(n)との差分が誤差として、タップ係数の更新値の算出に用いられる。
【０００９】
適応フィルタ部１０８のタップ数を増やして分解能を上げることで、伝送路特性の推定精度を上げることができる。たとえば、図３（Ａ）に示すタップ数２０のフィルタ特性の場合、タップ数を６０に増やすことで図３（Ｂ）に示す急峻な波形を得ることができる。
【００１０】
しかし、タップ数を増やすことで回路規模が大きくなり、消費電力も大きくなる。そのため、回路規模を増やさず特性を向上することが望まれる。
【００１１】
なお、受信信号の時間変動が激しい場合に、マルチパスの遅延量に応じてシンボル方向の補間を選択的に実施する方法が提案されている（たとえば、特許文献１参照）。
【先行技術文献】
【特許文献】
【００１２】
【特許文献１】特開２００５−４５６６４号公報
【発明の概要】
【発明が解決しようとする課題】
【００１３】
タップ数を増やすことなく適応フィルタの分解能を上げ、伝送路特性推定の精度を向上することを課題とする。
【課題を解決するための手段】
【００１４】
データ信号補正回路は、パイロット信号に基づき受信データ信号の伝送路特性推定値を算出する伝送路特性算出部と、前記伝送路特性推定値に基づいて、前記受信データ信号のマルチパスの遅延量を算出するパス検出部と、前記遅延量と前記伝送路特性推定値とを入力とし、前記遅延量に応じて、前記伝送路特性推定値のキャリア方向の入力間隔を調整し、前記調整後の入力間隔で入力された前記伝送路特性推定値に対して適応等化を行う適応フィルタと、を有する。
【発明の効果】
【００１５】
タップ数を増やすことなく適応フィルタの分解能を上げ、伝送路特性推定の精度を向上することができる。
【図面の簡単な説明】
【００１６】
【図１】一般的なデータ信号補正回路の概略図である。
【図２】一般的な適応フィルタの構成図である。
【図３】タップ数増加によるフィルタ特性の向上を示す図である。
【図４】実施形態のデータ信号補正回路が適応される受信機の概略構成図である。
【図５】実施形態のデータ信号補正回路の構成図である。
【図６】パイロット信号に基づくシンボル方向とキャリア方向の補間を示す図である。
【図７】実施形態のデータ信号補正回路の原理を説明する図である。
【図８】実施形態のデータ信号補正回路で用いられる適応フィルタの構成例を示す図である。
【図９】入力データ間隔選択テーブルの例を示す図である。
【図１０】適応フィルタに対するキャリア方向のデータ入力間隔を変えたときの入力データの選択例を示す図である。
【図１１】実施形態のデータ信号補正回路で用いられるローバスフィルタの構成例を示す図である。
【発明を実施するための形態】
【００１７】
実施形態では、受信信号の遅延量に応じて適応フィルタに入力するデータのキャリア方向の間隔を変更することによって、適応フィルタのタップ数を維持したまま分解能を上げる。好ましくは、適応フィルタの後段に配置されるローパスフィルタの遮断帯域を、適応フィルタに入力されるデータのキャリア方向の間隔に応じて調整する。
【００１８】
図４は、実施形態のデータ信号補正回路が適用される受信機の構成例を示す。受信機１は、たとえば地上波デジタル放送受信機である。アンテナにより受信されたＯＦＤＭ信号はチューナの受信部２でベースバンド帯域に変換され、アナログ信号からデジタル信号に変換される。受信部２はまた、信号同期をとってＦＦＴ時間窓の位置を決定する。
【００１９】
ＦＦＴ（高速フーリエ変換）部３は、受信信号に高速フーリエ変換を行って、周波数領域の信号に変換する。
【００２０】
データ信号補正部４は、伝送路推定および等化を行う。データ信号とともに送信されてくる既知信号である分散パイロット（ＳＰ：Scattered Pilot）信号を用いて、伝送路の推定を行う。受信データ信号を伝送路の推定値で複素除算することで、伝送路の影響を除去し、データ信号を等化する。
【００２１】
復調部５は、放送波の変調方式に応じて信号を復調する。誤り訂正復号部５では、誤り訂正処理を施し、ＴＳ（Transform Stream）方式で出力する。デコーダ７は、ＴＳデータ信号を映像／音声に復号処理する。
【００２２】
図５は、図４で用いられるデータ信号補正部４の概略ブロック図である。ＦＦＴ部３で高速フーリエ変換を受けた受信信号は、信号分別部１１でパイロット信号とデータ信号に分離される。図６（Ａ）に示すように、送信されるデータシンボルのシンボル方向とキャリア方向に一定の間隔で、パイロット（ＳＰ）シンボルが挿入されている。パイロット信号は既知の信号であるため、分離したパイロット信号を用いてデータシンボルの伝送路特性を補間により推定する。シンボル補間部１２は、図６（Ｂ）に示すように、パイロット信号をシンボル方向に補間する。キャリア補間部１３は、図６（Ｃ）に示すように、シンボル補間された信号を遅延量に応じた帯域のフィルタでキャリア方向に補間し、データ部分の第１伝送路特性推定値を算出する。
【００２３】
第１データ信号補正部１５は、受信データ信号を第１伝送路特性推定値で除算して送信データ信号を算出する。硬判定部１５は、算出された送信データ信号をコンスタレーションに対して硬判定処理する。伝送路特性算出部１６は、受信データ信号を、硬判定を施した送信データ信号で除算して、硬判定後の伝送路特性推定値を算出する。硬判定後の伝送路特性推定値は、パス検出部１７と、適応フィルタ部１８に供給される。
【００２４】
パス検出部１７は、伝送路特性推定値を逆フーリエ変換することで遅延プロファイルを算出し、ＦＴＴ開始位置を決定する。また、遅延プロファイルから遅延量を算出し、算出した遅延量をキャリア補間部１３と、適応フィルタ１８と、ローパスフィルタ（ＬＰＦ）１９に供給する。
【００２５】
図５のデータ信号補正部４の特徴として、適応フィルタ１８は、パス検出部１７が検出する遅延量に基づいて、伝送路特性算出部１６から受け取る伝送路特性推定値のキャリア方向の入力間隔を調整する（拡げる）。これについて、図７を参照して説明する。
【００２６】
図７において、パス検出部１７により算出された遅延量が、１／３シンボル近傍であるとする。図７（Ａ）のように、従来どおり所定のタップ数で、伝送路特性推定値をキャリア方向に連続して入力して適応等化を行なう。この場合のステップ数を１とする。この方法では、十分なフィルタ分解能が得られない。
【００２７】
これに対し、実施形態では、図７（Ｂ）に示すように、遅延量が１／３シンボル近傍である場合、３キャリアごとの伝送路推定値を適応フィルタ１８に入力する。この場合のステップ数を３とする。これによって入力帯域幅が３倍になり、適応フィルタ１８の分解能が３倍になる。より広い帯域幅から同じ数のキャリア情報をフィルタリングするので、タップ数を増やさなくても、図７（Ｂ）のような急峻な遮断特性が得られる。その結果、データ信号の伝送路特性の推定精度を上げることができ、受信性能が向上する。
【００２８】
図８は、適応フィルタ１８の概略構成図である。適応フィルタ１８は、入力データ間隔選択部３１と、乗算器３２1〜３２２αと、加算器３３と、加算器３４と、係数更新部３５を有する。入力データ間隔選択部３１は、パス検出部１７から算出された遅延量を受け取る。入力データ間隔選択部３１は入力データ間隔選択テーブル３９を有し、パス検出部１７から供給される遅延量に応じて、適切な入力データ間隔（ステップ数）を選択する。
【００２９】
図９は、入力データ間隔選択テーブル３９の一例を示す。入力データ間隔選択テーブル３９には、遅延量と、入力データ間隔（ステップ数Ｋ）と、後段のローパスフィルタの遮断帯域があらかじめ対応付けられている。
【００３０】
たとえば、遅延量が１／２シンボル以上の場合、遅延量が大きいので、入力データをそのまま連続して各タップに割り当てる（ステップ数Ｋ＝１）。この場合の入力データの選択を図１０（Ａ）に示す。これに対し、マルチパスで遅延量が小さくなると、キャリア方向の伝送路推定値をある程度間引いても適応等化への影響は少なく、むしろ広帯域幅でのフィルタリング効果が大きくなる。
【００３１】
遅延量が１／３シンボル以上、１／２シンボル未満のときは、入力データ間隔Ｋを２に設定する。この場合、図１０（Ｂ）に示すように、２キャリアごとに適応フィルタ１８のタップにデータ（伝送路特性推定値）を入力する。遅延量が１／４シンボル以上、１／３シンボル未満のときは、入力データ間隔Ｋを３に設定して、図１０（Ｃ）のように３キャリアごとに適応フィルタ１８へデータを入力する。この例は、図７（Ｂ）に示す処理に対応する。遅延量が１／５シンボル以上、１／４シンボル未満のときは、入力データ間隔Ｋを４に設定し、図１０（Ｄ）のように４キャリアごとに適応フィルタ１８へデータを入力する。これにより、同じタップ数で、タップ数を増やしたのと同様の効果を得ることができる。
【００３２】
なお、適応フィルタ１８では、遅延量と入力データ間隔Ｋの関係がわかればよいので、入力データ間隔選択テーブル３９は、遅延量と入力データ間隔Ｋの関係だけを記述し、遅延量とＬＰＦ遮断帯域の対応関係を省略してもよい。
【００３３】
図８に戻って、入力データ間隔の選択によりＫ値が決まると、各タップに入力されるキャリア番号が決まる。基準となる所望信号のキャリア番号をｎ、全タップ数を２×α、入力データ間隔をＫとすると、タップの中心から右半分で用いられるβ値は、β＝Ｋ／２である（小数点以下は切り捨て）。タップの中心から左半分で用いられるβ'値は、β'＝Ｋ−βである。ただしＫ＝１のとき（間引き処理をしないとき）は、β＝β'＝０とする。
【００３４】
２キャリアごとに入力される場合（図１０（Ｂ））、Ｋ＝２、β＝２／２＝１、β'＝２−１＝１である。したがって、適応フィルタ１８に入力される推定値のキャリア番号は、Ｈ（ｎ−（２α−１））、…、Ｈ（ｎ−１）、Ｈ（ｎ＋１）、…、Ｈ（ｎ＋（２α−１））となる。
【００３５】
３キャリアごとに入力される場合（図１０（Ｃ））、Ｋ＝３となり、Ｋが奇数である。この場合、β＝３／２＝１、β'＝３−１＝２となる。したがって、適応フィルタ１８に入力される推定値のキャリア番号は、Ｈ（ｎ−（３α−２））、…、Ｈ（ｎ−１）、Ｈ（ｎ＋１）、…、Ｈ（ｎ＋（３α−１））となる。
【００３６】
乗算器３２1〜３２２αの各々は、入力されたキャリア番号の伝送路特性推定値に、対応するタップの係数を乗算する。すべてのタップの乗算結果は、加算器３３で加算される。この加算結果が適応フィルタ１８の出力、すなわち、適応等化後の伝送路特性推定値になる。
【００３７】
加算器３４は、伝送路特性推定の加算値と、所望信号ｄ（ｎ）＝Ｈ（ｎ）との差分（誤差）を求め、誤差を係数更新部３５に入力する。係数更新部３５には、係数乗算を受ける前の伝送路推定値が入力され、伝送路推定値と誤差を用いて任意の手法でタップ係数ベクトルが更新される。図８の例では、ＬＭＳ（Least Mean Square）法で係数更新を行っているが、その他の更新アルゴリズムを用いてもよい。
【００３８】
図１１は、適応フィルタ１８の後段に配置されるローパスフィルタ１９の概略構成図である。ローパスフィルタ１９は、フィルタ係数選択部４１と、遅延素子４２1〜４２nと、乗算器４３1〜４３n+1と、加算器４４1〜４４nを有する。
【００３９】
ローパスフィルタ１９は、適応フィルタ１８の出力を入力データとして受け取る。フィルタ係数選択部４１は、パス検出部１７で検出された遅延量を受け取り、遅延量に応じたフィルタ係数を選択する。フィルタ係数選択部４１は、図９の入力データ間隔選択テーブル３９と同様のテーブル、または入力データ間隔選択テーブル３９のうち遅延量とＬＰＦ遮断帯域を対応付けた部分を記述したテーブル（不図示）を有する。たとえば、遅延量が１／２シンボル以上のときは、入力データはそのままキャリア方向に連続して入力されているので、ローパスフィルタリングを行わない。
【００４０】
遅延量が小さくキャリア方向の入力データ間隔が変更された場合、標本化定理から１シンボル／入力データ間隔（ステップ数Ｋ）で折り返しが発生する。そのため、ローパスフィルタ１９で１／２シンボルより高い領域を遮断して、ノイズの影響を除去する。
【００４１】
遅延量が１／３シンボル以上、１／２シンボル未満のときは、適応フィルタ１８に対して２キャリアごとに伝送路推定値が入力されている（Ｋ＝２）。この場合、ローパスフィルタ１９で１／２シンボルよりも後ろの領域を遮断するようにフィルタ係数が選択される。
【００４２】
遅延量が１／４シンボル以上、１／３シンボル未満のときは、適応フィルタ１８に３キャリアごとに伝送路推定値が入力されている。この場合、１／３シンボルよりも後ろの領域を遮断するフィルタ係数が選択される。
【００４３】
入力データ（伝送路推定値）は、乗算器４３1にてフィルタ係数選択部４１で選択されたフィルタ係数と乗算される。入力データは遅延素子４２1〜４２nの各々で順次遅延され、遅延された入力データと選択されたフィルタ係数とが乗算器４２2〜４２n+1で順次乗算される。乗算結果は加算器４４1〜４２nで累積的に加算されて、ローパスフィルタ１９から出力される。この出力がデータ信号補正部２０（図５）に入力される。
【００４４】
データ信号補正部２０は、受信データ信号をローパスフィルタ１９から出力された伝送路特性推定値で除算し、送信データ信号を算出する。算出された送信データ信号は、データ信号補正部４の出力として、復調部５（図４参照）に供給される。
【００４５】
このように、実施形態のデータ信号補正部４では、遅延量に応じて信号の入力間隔（キャリア間隔）を拡げることにより、タップ数を増やすことなく伝送路推定の精度を向上することができる。
【００４６】
上述した実施形態で、受信可能なマルチパス遅延量をたとえば、１／３シンボル未満に制約する場合は、入力データの間隔を３キャリアごとに固定し、タップ数を従来の適応等化特性と同じ特性を実現できるタップ数に低減する構成としてもよい。この場合は、回路規模を削減しつつ、従来と同様のフィルタ分解能を維持することができる。
【００４７】
以上の説明に対し、以下の付記を提示する。
（付記１）
パイロット信号に基づき受信データ信号の伝送路特性推定値を算出する伝送路特性算出部と、
前記伝送路特性推定値に基づいて、前記受信データ信号のマルチパスの遅延量を算出するパス検出部と、
前記遅延量と前記伝送路特性推定値とを入力とし、前記遅延量に応じて、前記伝送路特性推定値のキャリア方向の入力間隔を調整し、前記調整後の入力間隔で入力された前記伝送路特性推定値に対して適応等化を行う適応フィルタと、
を有することを特徴とするデータ信号補正回路。
（付記２）
前記適応フィルタの後段に配置されるローパスフィルタ、
をさらに有し、
前記ローパスフィルタは、前記適応フィルタの出力と、前記遅延量とを入力とし、前記遅延量に応じて遮断帯域を変更する、
ことを特徴とする付記１に記載のデータ信号補正回路。
（付記３）
前記適応フィルタは、前記遅延量と前記入力間隔の関係を対応付けたテーブルを有することを特徴とする付記１または２に記載のデータ信号補正回路。
（付記４）
前記ローパスフィルタは、前記遅延量と前記遮断帯域の関係を対応付けたテーブルを有することを特徴とする付記２又は３に記載のデータ信号補正回路。
（付記５）
前記適応フィルタは、前記遅延量が一定量以上の場合は前記入力間隔を変更せず、前記遅延量が一定量未満の場合に、前記伝送路特性推定値をＫキャリアごと（Ｋは２以上の整数）に入力することを特徴とする付記１〜４のいずれかに記載のデータ信号補正回路。
（付記６）
前記ローパスフィルタは、前記遅延量が一定量以上の場合は帯域遮断を行わず、前記遅延量が一定量未満の場合に、前記遅延量に応じた帯域の信号を遮断することを特徴とする付記２〜５のいずれかに記載のデータ信号補正回路。
（付記７）
信号受信部と、
前記信号受信部で受信されたデータ信号に対して伝送路補正を施す付記１〜６のいずれかに記載のデータ信号補正回路と、
前記伝送路補正後の前記データ信号を復調及び復号して映像信号及び音声信号の少なくとも一方を出力する復調・復号処理部と、
を有する受信機。
（付記８）
パイロット信号に基づき受信データ信号の伝送路特性推定値を算出し、
前記伝送路特性推定値に基づいて前記受信データ信号のマルチパスの遅延量を算出し、
前記遅延量に応じて、前記伝送路特性推定値のキャリア方向の入力間隔を調整し、前記調整された入力間隔で入力された前記伝送路特性推定値に対して適応等化を行う、
ことを特徴とするデータ信号補正方法。
（付記９）
前記遅延量に応じた遮断帯域を選択し、
前記選択した遮断帯域で、前記適応等化を受けた前記伝送路特性推定値をフィルタリングする、
ことを特徴とする付記８に記載のデータ信号補正方法。
（付記１０）
前記遅延量と前記入力間隔の関係をあらかじめ対応付けて格納することを特徴とする付記８または９に記載のデータ信号補正方法。
（付記１１）
前記遅延量と前記遮断帯域の関係をあらかじめ対応付けて格納することを特徴とする付記８〜１０のいずれかに記載のデータ信号補正方法。
（付記１２）
前記遅延量が一定量以上の場合は前記入力間隔を変更せず、
前記遅延量が一定量未満の場合に、前記伝送路特性推定値をＫキャリアごと（Ｋは２以上の整数）に入力することを特徴とする付記８〜１１のいずれかに記載のデータ信号補正方法。
（付記１３）
前記遅延量が一定量以上の場合は帯域遮断を行わず、前記遅延量が一定量未満の場合に前記遅延量に応じた帯域の信号を遮断することを特徴とする付記８〜１２のいずれかに記載のデータ信号補正方法。
【符号の説明】
【００４８】
１  受信機
４  データ信号補正部（データ信号補正回路）
１１  信号分別部
１２  シンボル補間部
１３  キャリア補間部
１４  第１データ信号補正部
１５  硬判定部
１６  伝送路特性算出部
１７  パス検出部
１８  適応フィルタ
１９  ローパスフィルタ
２０  第２データ信号補正部
【図１】
2014179758.tif 000003
【図２】
2014179758.tif 000004
【図３】
2014179758.tif 000005
【図４】
2014179758.tif 000006
【図５】
2014179758.tif 000007
【図６】
2014179758.tif 000008
【図７】
2014179758.tif 000009
【図８】
2014179758.tif 000010
【図９】
2014179758.tif 000011
【図１０】
2014179758.tif 000012
【図１１】
2014179758.tif 000013